(57)【要約】【課題】ユーザーの望む部位に光を当てやすいよう構成された照明付き鏡装置を提供する。【解決手段】本発明の照明付き鏡装置は、鏡面２６を有する鏡体２３と、鏡体２３を取り付けるための鏡体設置部２７と、長手方向の略全長又は一部に発光領域を有する棒状照明具３と、棒状照明具３の一端部を鏡体設置部２７に回動自在に連結する回動連結部４とを備えている。【選択図】図１
2013255689.tif 000002
【特許請求の範囲】
【請求項１】
鏡面を有する鏡体と、
前記鏡体を取り付けるための鏡体設置部と、
長手方向の略全長又は一部に発光領域を有する棒状照明具と、
前記棒状照明具の一端部を前記鏡体設置部に回動自在に連結する回動連結部と
を備えている
ことを特徴とする照明付き鏡装置。
【請求項２】
前記回動連結部が、前記鏡面に沿って上下方向に移動自在となっている
ことを特徴とする請求項１記載の照明付き鏡装置。
【請求項３】
前記鏡体設置部に前記回動連結部を介して連結された前記棒状照明具が、上下方向に並ぶよう複数設けられている
ことを特徴とする請求項１又は請求項２のいずれかに記載の照明付き鏡装置。
【請求項４】
前記回動連結部は、前記棒状照明具に対して、前記鏡面から離れる方向への回動を規制し前記鏡面に沿った方向への回動を許容するものである
ことを特徴とする請求項１乃至請求項３のいずれか一項に記載の照明付き鏡装置。
【請求項５】
前記鏡体は、
センターミラーと、
このセンターミラーの側方に配置されたサイドミラーと
を備えており、
前記サイドミラーが、前記センターミラー側に向かってスライド移動自在となっている
ことを特徴とする請求項１乃至請求項４のいずれか一項に記載の照明付き鏡装置。
【請求項６】
前記棒状照明具は、
発光体と、
棒状に形成された導光部材と
を有しており、
前記導光部材は、
長手方向の一端面に設けられ前記発光体から発せられた光が入射する入射面と、
長手方向に沿って設けられ前記入射面から入射した光を拡散させる光拡散部と、
前記光拡散部により拡散した光が出射する出射面と
を有している
ことを特徴とする請求項１乃至請求項５のいずれか一項に記載の照明付き鏡装置。
【発明の詳細な説明】
【技術分野】
【０００１】
本発明は、照明付き鏡装置に関する。
【背景技術】
【０００２】
従来、照明付き鏡装置が知られている（例えば特許文献１参照）。この特許文献１には洗面化粧台が開示されている。この洗面化粧台は、鏡板と、照明装置を備えている。鏡板は、キャビネットの扉体に固定されている。照明装置は、鏡板の上下方向の略全長に亙って設けられている。照明装置は、扉体に固定されている。照明装置は、長手方向の略全長に亙って発光領域を有している。
【先行技術文献】
【特許文献】
【０００３】
【特許文献１】特開２００７−９８０３４号公報
【発明の概要】
【発明が解決しようとする課題】
【０００４】
ところで特許文献１記載の照明装置は、鏡板の上下方向の略全長に亙って発光領域を有しているため、ユーザーの顔に光を正面から当てることができ、顔などに影が形成されにくい。
【０００５】
しかしながら、この洗面化粧台の照明装置では、照明装置がキャビネットに固定されているため、ユーザーが頭部や首回り等を見ようとした場合、ユーザーの所望の部位に光を当てにくいという問題がある。
【０００６】
本発明は、上記事情に鑑みてなされたものであり、その目的とするところは、ユーザーの望む部位に光を当てやすいよう構成された照明付き鏡装置を提供することにある。
【課題を解決するための手段】
【０００７】
本発明の照明付き鏡装置は、鏡面を有する鏡体と、前記鏡体を取り付けるための鏡体設置部と、長手方向の略全長又は一部に発光領域を有する棒状照明具と、前記棒状照明具の一端部を前記鏡体設置部に回動自在に連結する回動連結部とを備えていることを特徴とする。
【０００８】
またこの照明付き鏡装置において、前記回動連結部が、前記鏡面に沿って上下方向に移動自在となっていることが好ましい。
【０００９】
またこの照明付き鏡装置において、前記鏡体設置部に前記回動連結部を介して連結された前記棒状照明具が、上下方向に並ぶよう複数設けられていることが好ましい。
【００１０】
またこの照明付き鏡装置において、前記回動連結部は、前記棒状照明具に対して、前記鏡面から離れる方向への回動を規制し鏡面に沿った方向への回動を許容するものであることが好ましい。
【００１１】
またこの照明付き鏡装置において、前記鏡体は、センターミラーと、このセンターミラーの側方に配置されたサイドミラーとを備えており、前記サイドミラーが、前記センターミラー側に向かってスライド移動自在となっていることが好ましい。
【００１２】
またこの照明付き鏡装置において、前記棒状照明具は、発光体と、棒状に形成された導光部材とを有しており、前記導光部材は、長手方向の一端面に設けられ前記発光体から発せられた光が入射する入射面と、長手方向に沿って設けられ前記入射面から入射した光を拡散させる光拡散部と、前記光拡散部により拡散した光が出射する出射面とを有していることが好ましい。
【発明の効果】
【００１３】
本発明の照明付き鏡装置によれば、ユーザーの望む部位に光を当てやすくでき、ユーザーは鏡を使って所望の部位を鮮明に見ることができる。
【図面の簡単な説明】
【００１４】
【図１】実施形態１の洗面化粧台の斜視図である。
【図２】実施形態１の棒状照明具であり（ａ）は側面図であり（ｂ）は背面図である。
【図３】実施形態１のミラーキャビネットの斜視図である。
【図４】実施形態１の回動連結部周辺の要部正面図である。
【図５】実施形態１の回動連結部周辺の水平断面図である。
【図６】実施形態１の回動連結部周辺の要部側面図である。
【図７】実施形態２のミラーキャビネットの斜視図である。
【図８】実施形態３のミラーキャビネットの斜視図である。
【図９】実施形態３の回動連結部周辺の要部正面図である。
【図１０】実施形態３の回動連結部周辺の水平断面図である。
【図１１】実施形態４のミラーキャビネットの斜視図である。
【図１２】実施形態４のサイドミラー及びセンターミラーの一部省略した正面図である。
【図１３】実施形態４の回動連結部周辺の水平断面図である。
【図１４】実施形態４のスライド機構の構造を示す側断面図である。
【発明を実施するための形態】
【００１５】
以下、本発明の実施形態について添付図面に基づいて説明する。
【００１６】
本実施形態の照明付き鏡装置は、洗面化粧台１である。洗面化粧台１は、図１に示されるように、ミラーキャビネット２と、棒状照明具３と、回動連結部４と、洗面ボウル８と、下部キャビネット９とを備えている。
【００１７】
ミラーキャビネット２は、キャビネット２１と、扉体２２と、鏡体２３とを備えている。キャビネット２１及び扉体２２は、鏡体設置部２７を構成する。鏡体設置部２７は、鏡体２３を取り付けるために用いられる。鏡体設置部２７は、キャビネット２１及び扉体２２に限らず、例えば壁面であってもよい。
【００１８】
キャビネット２１は、背板２１０と、天板２１１と、側板２１２と、底板２１３とを備えている。キャビネット２１は、前方に向かって開口している。キャビネット２１は、内部に収納部を有している。収納部は、複数設けられている。収納部は、第一収納部２１４と、第二収納部２１５と、第三収納部２１６とを備えている。第一収納部２１４は、正面視右側に位置している。第二収納部２１５は、左右方向の中央部に位置している。第三収納部２１６は、正面視左側に位置している。各収納部２１４，２１５，２１６は、前方に向かって開口している。各収納部２１４，２１５，２１６には、歯ブラシや小物等の収納物が収納される。
【００１９】
扉体２２は、図３に示されるように、キャビネット２１の前方に開閉自在に取り付けられている。扉体２２は、キャビネット２１の開口を閉塞するよう取り付けられている。扉体２２は、第１の扉部２２１と、第２の扉部２２２と、第３の扉部２２３とを備えている。
【００２０】
第１の扉部２２１は、正面視右側に配置されている。第１の扉部２２１は、第一収納部２１４を開閉自在に閉塞する。第１の扉部２２１は、第一戸板２２４と、第二戸板２２５とを備えている。第一戸板２２４は、取付軸部２２６と、連結軸部２２７とを備えている。取付軸部２２６は、第一戸板２２４とキャビネット２１とを回動自在に連結する。取付軸部２２６は、キャビネット２１の右側の端部に取り付けられる。連結軸部２２７は、第一戸板２２４と第二戸板２２５とを回動自在に連結する。
【００２１】
第二戸板２２５は、第一戸板２２４と同じ形状となっている。第二戸板２２５の幅方向の一方側の端部は、連結軸部２２７を介して第一戸板２２４に回動自在に連結されている。
【００２２】
第２の扉部２２２は、正面視において左右方向の中央に配置されている。第２の扉部２２２は、第二収納部２１５を開閉自在に閉塞する。第２の扉部２２２は、幅方向において正面視左側の端部に軸部（図示せず）を有している。第２の扉部２２２は、第二収納部２１５の左側の端部に取り付けられている。第２の扉部２２２は、軸部を介してキャビネット２１に軸支されている。第２の扉部２２２の幅は、第１の扉部２２１の幅よりも長い。また、第２の扉部２２２の幅は、第３の扉部２２３の幅よりも長い。さらに、第２の扉部２２２の長さは、第１の扉部２２１の長さ及び第３の扉部２２３の長さと略同じ長さである。
【００２３】
第３の扉部２２３は、正面視左側に配置されている。第３の扉部２２３は、第三収納部２１６を開閉自在に閉塞する。第３の扉部２２３は、第１の扉部２２１と対称の構造になっている。第３の扉部２２３は、第一戸板（図示せず）と、第二戸板（図示せず）とを備えている。第一戸板は、取付軸部（図示せず）と、連結軸部（図示せず）とを備えている。取付軸部は、第一戸板とキャビネット２１とを回動自在に連結する。取付軸部は、キャビネット２１の左側の端部に取り付けられる。連結軸部は、第一戸板と第二戸板とを回動自在に連結する。
【００２４】
第二戸板は、第一戸板と同じ形状となっている。第二戸板の幅方向の一方側の端部は、連結軸部を介して第一戸板に回動自在に連結されている。
【００２５】
鏡体２３は、前面に鏡面２６を有している。鏡体２３は、板状である。鏡体２３は、扉体２２の前面に設けられている。例えば、鏡体２３は、扉体２２の前面に接着により固定される。鏡体２３は、センターミラー２４と、サイドミラー２５とを備えている。サイドミラー２５は、左側ミラー２５１と、右側ミラー２５２とを有している。これにより、本実施形態の鏡体２３は、いわゆる三面鏡を構成する。
【００２６】
センターミラー２４は、第２の扉部２２２の前面に固定される。
【００２７】
右側ミラー２５２は、第一ミラー２５３と、第二ミラー２５４とを備えている。第一ミラー２５３は、第１の扉部２２１の第一戸板２２４の内面に固定されている。第二ミラー２５４は、第二戸板２２５の内面に固定されている。
【００２８】
左側ミラー２５１は、右側ミラー２５２と同様に、第一ミラー（図示せず）と、第二ミラー２５４とを備えている。第一ミラーは、第１の扉部２２１の第一戸板の内面に固定されている。第二ミラー２５４は、第二戸板の内面に固定されている。
【００２９】
第１の扉部２２１は、第一収納部２１４を開閉自在に閉塞する。このとき、第１の扉部２２１は、第一戸板２２４の外面と第二戸板２２５の外面とが近接するよう折り畳まれる。第２の扉部２２２は、第三収納部２１６を開閉自在に閉塞する。このとき、第３の扉部２２３は、第一戸板の外面と第二戸板の外面とが近接するよう折り畳まれる。
【００３０】
棒状照明具３は、棒状に形成されている。棒状照明具３は、長さを有している。棒状照明具３は、複数設けられている。本実施形態の洗面化粧台は、棒状照明具３として、第１の照明具３１と、第２の照明具３２とを有している。第１の照明具３１は、第１の扉部２２１と第２の扉部２２２との間に配置されている。また、第２の照明具３２は、第２の扉部２２２と第３の扉部２２３との間に配置されている。第１の照明具３１と、第２の照明具３２とは、同じ構造である。
【００３１】
棒状照明具３は、図２に示されるように、発光体３３と、導光部材３４とを備えている。導光部材３４は、一方向に長さを有している。導光部材３４は、長さとは直角な方向に幅を有している。また導光部材３４は、長さ及び幅に直角な方向に厚みを有している。導光部材３４は、棒状照明具３において発光部を構成する。発光部は光を発する部分である。言い換えると、棒状照明具３は、長手方向の略全長に亙って発光領域を有する。
【００３２】
なお、導光部材の発光領域は、長手方向の略全長に限られず、例えば、長手方向のうちの一部の領域であってもよい。また、導光部材は、断面矩形状であってもよいし、断面円形状であってもよい。
【００３３】
導光部材３４は、入射面３４１と、光拡散部３４２と、出射面３４３とを備えている。また、導光部材は、第一端と、第二端とを有している。第一端は、導光部材の長手方向の一方側の端部である。第二端は、導光部材の第一端とは反対側の端部である。
【００３４】
入射面３４１は、導光部材３４の長手方向の端面に設けられている。本実施形態の入射面３４１は、導光部材３４の上方側の端面に設けられている。言い換えると、入射面３４１は、長手方向の一端に設けられている。入射面３４１は、発光体３３から発せられた光が導光部材３４内に入射するための面である。
【００３５】
光拡散部３４２は、導光部材３４の背面側（後方側）の面に設けられている。言い換えると、光拡散部３４２は、導光部材の長手方向に沿って形成されている。光拡散部３４２は、入射面３４１から導光部材３４内に入射した光を導光部材３４内で拡散させる。光拡散部３４２は、導光部材３４の長手方向において入射面３４１から離れる側に向かうほど、幅広となるよう形成されている。本実施形態の光拡散部３４２は、正面視三角形状に形成されている。光拡散部３４２は、例えば、シボ加工や、ドット印刷などにより形成される。
【００３６】
出射面３４３は、導光部材３４の正面側（前方側）の面に設けられている。言い換えると、出射面３４３は、光拡散部３４２とは反対側の面に設けられている。出射面３４３は、光拡散部３４２により拡散した光が導光部材３４内から出射するための面である。出射面３４３は、出射した光が第二鏡２３２に近接した顔を照らすことができる方向に向けられている。
【００３７】
発光体３３は、導光部材３４の長手方向の第一端に隣接配置されている。言い換えると、発光体３３は、各導光部材３４に対応するよう設けられている。発光体３３は、指向性を有している。発光体３３の発光方向の先端側は、入射面３４１に臨んでいる。これにより、発光体３３から発せられた光は、入射面３４１から導光部材３４内に入射するようになっている。発光体３３は、例えば、ＬＥＤ（Light Emitting Diode）により構成されている。
【００３８】
棒状照明具３は、保持具３５を備えている。保持具３５は、発光体３３を導光部材３４の端部に固定する。
【００３９】
発光体３３から光が発せられると、その光は、入射面３４１を介して導光部材３４内に入射する。入射面３４１から入射した光は、導光部材３４の内面に全反射を繰り返し、導光部材３４の長手方向において入射面３４１とは反対側の端面に向かって進行する。進行する光の大部分は、光拡散部３４２に反射して拡散する。光拡散部３４２により拡散した光は、出射面３４３に向かって反射する。この後、光は、出射面３４３を介して導光部材３４から出射する。
【００４０】
回動連結部４は、図３に示されるように、棒状照明具３をキャビネット２１に取り付けるためのものである。回動連結部４は、棒状照明具３を前後方向、左右方向、及び導光部材の軸廻りに回動自在とさせる。また、回動連結部４は、棒状照明具３の第一端に固定されている。言い換えると、回動連結部４は、棒状照明具３の一端部を鏡体設置部２７に回動自在に連結する。
【００４１】
本実施形態の洗面化粧台は、図３に示されるように、回動連結部４として、第１の連結部４１と、第２の連結部４２とを備えている。第１の連結部４１は、第１の照明具３１をキャビネット２１に固定する。第１の連結部４１は、第１の扉部２２１と第２の扉部２２２との間に配置されている。第２の連結部４２は、第２の照明具３２をキャビネット２１に固定する。第２の連結部４２は、第２の扉部２２２と第３の扉部２２３との間に配置されている。第１の連結部４１と第２の連結部４２とは同じ構造になっている。
【００４２】
回動連結部４は、図４，５，６に示されるように、第１軸部４３と、第２軸部４４と、第３軸部４５と、スライダー部４６とを備えている。スライダー部４６は、軸受部４６１を有している。第１軸部４３は、鏡面２６とは直交する方向に延出している。第１軸部４３は、スライダー部４６の軸受部４６１に回動自在に軸支されている。第１軸部４３は、棒状照明具３の左右方向の回動（鏡面２６に沿った方向への回動）の中心軸となる。第２軸部４４は、第１軸部４３に直交している。第２軸部４４は、第１軸部４３に一体になっている。第２軸部４４は、棒状照明具３の前後方向の回動（鏡面２６とは直角な方向への回動）の中心軸となる。第３軸部４５は、第１軸部４３と第２軸部４４とに直交している。第３軸部４５は、第１軸部４３と第２軸部４４とに一体になっている。第３軸部４５は、棒状照明具３の断面中心線廻りの回動の中心軸となる。断面中心線は、棒状照明具３の断面における図心を通る線である。
【００４３】
スライダー部４６は、第１軸部４３を回動自在に支持する。スライダー部４６は、正面視矩形状をしている。キャビネット２１は、レール部５を有している。レール部５は、キャビネット２１の上下方向の略全長に亙って設けられている。スライダー部４６は、上下動自在にレール部５に収容される。スライダー部４６は、レール部５の長手方向に沿ってスライド自在となっており、前後方向及び左右方向には移動しないように移動規制されている。
【００４４】
レール部５は、キャビネット２１に取り付けられている。レール部５は、図３に示されるように、上下方向に長さを有している。レール部５は、第１のレール部５１と、第２のレール部５２とを備えている。第１のレール部５１は、第一収納部２１４と第二収納部２１５との間に設けられている。また、第２のレール部５２は、第二収納部２１５と第三収納部２１６との間に設けられている。
【００４５】
なお、棒状照明具３には、配線が接続されている。配線は、制御部を介して電源部に接続されている。配線は、回動連結部４内を通り、レール部５に沿って配線される。
【００４６】
回動連結部４は、棒状照明具３をキャビネット２１に回動自在に支持する。言い換えると、回動連結部４は、棒状照明具３の一端部を鏡体設置部２７に回動自在に連結する。棒状照明具３は、回動連結部４を中心として、左右方向に回動する。また棒状照明具３は、回動連結部４を中心として、前後方向に回動する。また棒状照明具３は、回動連結部４を中心として、断面中心線廻りに回動する。また棒状照明具３は、回動連結部４がレール上を移動するのに伴って、ミラーキャビネット２の上下方向にスライド移動自在となっている。
【００４７】
また本実施形態の洗面化粧台１は、保持部（図示せず）を有している。保持部は、回動連結部４をレール部５に保持する連結部保持部（図示せず）と、棒状照明具３を鏡体設置部２７またはレール部５に保持する照明具保持部（図示せず）とを備えている。
【００４８】
連結部保持部は、レール部５の長手方向の任意の位置に、回動連結部４を保持する。連結部保持部は、例えば、突起部により構成される。突起部は、レール部５に沿って一定のピッチで設けられる。突起部は、スライダー部４６のスライド移動を規制する。スライダー部４６は、一定以上の力が移動方向に付与されると、突起部を乗り越える。これにより、回動連結部４はスライド移動が規制される。また他の例として、連結部保持部は、押しねじにより構成される。押しねじは、ユーザーが螺合することで、スライダー部４６をレール部５に固定する。ユーザーが押しねじを緩めることで、スライダー部４６が移動自在となる。
【００４９】
照明具保持部は、回動連結部４がミラーキャビネット２の上端部に位置している状態で、棒状照明具３の長手方向が鉛直方向に沿うようにして、棒状照明具３を保持する。照明具保持部は、例えば、断面Ｃ字状の合成樹脂からなる保持具により構成される。保持具は、棒状照明具３を挟圧して保持する。これにより、洗面化粧台１の不使用時や、通常の洗面等における使用時には、棒状照明具３が所定の位置に配置される。
【００５０】
なお、この保持部は、設けられていなくてもよい。
【００５１】
本実施形態の洗面化粧台１は、図１に示されるように、洗面ボウル８と、下部キャビネット９とを備えている。洗面ボウル８は、ミラーキャビネット２２の下方に設けられている。言い換えると、鏡体２３は、洗面ボウル８の上方に配置されている。また、洗面ボウル８は、椀状に形成されている。洗面ボウル８の上方には、水栓８１が設けられている。洗面ボウル８は、水栓８１から吐出された湯水を受ける。洗面ボウル８の前端は、鏡面２４よりも前方に位置している。下部キャビネット９は、複数の引出部９１を有している。下部キャビネット９の上方には、洗面ボウル８が配置されている。
【００５２】
以上説明したように、本実施形態の照明付き鏡装置は、鏡体２３と、鏡体設置部２７と、棒状照明具３と、回動連結部４とを備えている。鏡体２３は、鏡面２６を有している。鏡体設置部２７は、鏡体２３を取り付けるためのものである。棒状照明具３は、長手方向の略全長又は一部に発光領域を有している。回動連結部４は、棒状照明具３の一端部を鏡体設置部２７に回動自在に連結する。
【００５３】
このように本実施形態の棒状照明具３は、鏡面２６に対し、回動自在に連結されている。このため、棒状照明具３を回動させることで、例えば頭部や首回り等の光を当てにくい箇所に光を当てることができる。したがって、本実施形態の照明付き鏡装置によれば、ユーザーの望む部位に光を当てやすくでき、ユーザーは鏡面により所望の部位を鮮明に見ることができる。
【００５４】
また本実施形態の棒状照明具３は、回動連結部４が鏡面２６に沿って上下方向に移動自在となっている。
【００５５】
このため、本実施形態の照明付き鏡装置によれば、ユーザーの所望の部位を的確に照らすことができる。また、ユーザーの身長の大小に拘らず、所望の部位に光を当てることができる。
【００５６】
また、通常使用するときには、長手方向が上下方向に向いた状態で棒状照明具３がセンターミラー２４の左右方向の両側に配置されるため、ユーザーの正面から光を当てることができる。これにより、ユーザーの顔などに影が形成されにくい。
【００５７】
次に、実施形態２について図７に基づいて説明する。なお、本実施形態は実施形態１と大部分において同じであるため、同じ部分においては同符号を付して説明を省略し、主に異なる部分について説明する。
【００５８】
本実施形態の照明付き鏡装置も、実施形態１と同様、洗面化粧台１である。本実施形態の洗面化粧台１は、棒状照明具３及び回動連結部４の数と、棒状照明具３の長さとが実施形態１とは異なっている。それ以外は、実施形態１の構造と同じである。
【００５９】
本実施形態の洗面化粧台１は、レール部５として、第１のレール部５１と、第２のレール部５２とを備えている。第１のレール部５１は、センターミラー２４と右側ミラー２５２との間に配置されている。第１のレール部５１は、ミラーキャビネット２の上下方向の略全長に亙って設けられている。第２のレール部５２は、センターミラー２４と左側ミラー２５１との間に配置されている。第２のレール部５２は、ミラーキャビネット２の上下方向の略全長に亙って設けられている。
【００６０】
第１のレール部５１には、複数の棒状照明具３が取り付けられる。第２のレール部５２にも、複数の棒状照明具３が取り付けられる。各棒状照明具３は、回動連結部４を介して各レール部５に取り付けられている。言い換えると、鏡体設置部２７に回動連結部４を介して連結された棒状照明具３が、上下方向に並ぶよう複数設けられている。棒状照明具３は、合計４箇所に設けられている。
【００６１】
各棒状照明具３の長手方向の長さは、ミラーキャビネット２の上下方向の長さの略半分である。各棒状照明具３は、回動連結部４により、左右方向、前後方向、中心線廻りに回動自在となっている。また、各棒状照明具３は、上下方向にスライド移動自在となっている。各棒状照明具３のレール部５における移動領域は、レール部５の長手方向の全長のうちの約半分の長さとなっている。
【００６２】
以上説明したように、本実施形態の棒状照明具３は、鏡体設置部２７に回動連結部４を介して連結されている。棒状照明具３は、上下方向に並ぶよう複数設けられている。
【００６３】
本実施形態の照明付き鏡装置は、棒状照明具３が上下方向に複数設けられているため、ユーザーの上側と下側とから同時に光を当てることができる。これにより、ユーザーの顔などに影が形成されにくいものとなる。
【００６４】
次に、実施形態３について図８〜１０に基づいて説明する。なお、本実施形態は実施形態１と大部分において同じであるため、同じ部分においては同符号を付して説明を省略し、主に異なる部分について説明する。
【００６５】
本実施形態の照明付き鏡装置も、実施形態１と同様、洗面化粧台１である。本実施形態の洗面化粧台１は、回動連結部４の構造と、鏡体２３の構造とが実施形態１とは異なっている。また、棒状照明具３は、実施形態２のものと同様である。それ以外は、実施形態１の構造と同じである。
【００６６】
本実施形態の回動連結部４は、図１０に示されるように、第１軸部４３と、第３軸部４５と、スライダー部４６とを備えている。スライダー部４６は、軸受部４６１を有している。第１軸部４３は、鏡面２６とは直角な方向に延出している。第１軸部４３は、スライダー部４６の軸受部４６１に回動自在に軸支されている。第１軸部４３は、棒状照明具３の左右方向の回動（鏡面２６に沿った方向への回動）の中心軸となる。第３軸部４５は、第１軸部４３に直交している。第３軸部４５は、第１軸部４３に一体になっている。第３軸部４５は、棒状照明具３の断面中心線廻りの回動の中心軸となる。
【００６７】
本実施形態の回動連結部４は、実施形態１の洗面化粧台１に設けられた第２軸部４４が設けられていない。言い換えると、本実施形態の回動連結部４は、前後方向（鏡面２６から離れる方向）への回動が規制されている。なお、スライダー部４６が、レール部５に沿って上下方向にスライド移動する点は、実施形態１，２と同様である。
【００６８】
鏡体２３は、図８に示されるように、センターミラー２４だけで構成されている。レール部５は、センターミラー２４の左右方向の両側部分に配置されている。
【００６９】
以上説明したように、本実施形態の回動連結部４は、棒状照明具３に対して、鏡面２６から離れる方向への回動を規制し、鏡面２６に沿った方向への回動を許容するものである。
【００７０】
このため本実施形態の照明付き鏡装置によれば、ユーザーが、棒状照明具３を前方側に回動させることができないため、不注意で、顔や身体に棒状照明具３を衝突させてしまうのを防ぐことができる。
【００７１】
次に、実施形態４について図１１〜１４に基づいて説明する。なお、本実施形態は実施形態１と大部分において同じであるため、同じ部分においては同符号を付して説明を省略し、主に異なる部分について説明する。
【００７２】
本実施形態の照明付き鏡装置も、実施形態１と同様、洗面化粧台１である。本実施形態の洗面化粧台１は、回動連結部４が上下スライド機構６を有していない点、サイドミラー２５がスライド可能になっている点で実施形態１とは異なっている。それ以外は、実施形態１の構造と同じである。
【００７３】
ミラーキャビネット２は、図１１に示されるように、キャビネット２１と、扉体２２と、鏡体２３と、スライド機構６（図１２）とを備えている。扉体２２は、キャビネット２１の前方に開閉自在に取り付けられている。扉体２２は、第１の扉部２２１と、第２の扉部２２２と、第３の扉部２２３とを備えている。
【００７４】
第１の扉部２２１は、正面視右側に配置されている。第１の扉部２２１は、取付軸部２２６を有している（図３参照）。取付軸部２２６は、閉じた状態の第１の扉部２２１において右側の端部に取り付けられている。第１の扉部２２１は、第一収納部２１４を開閉自在に閉塞する。第１の扉部２２１は、実施形態１と同様に、第一戸板２２４と、第二戸板２２５とを備えている。
【００７５】
第２の扉部２２２は、正面視中央に配置されている。第２の扉部２２２は、軸部を介してキャビネット２１に支持されている。軸部は、閉じた状態の第２の扉部２２２において正面視左側の端部に設けられている。第２の扉部２２２は、軸部を介してキャビネット２１に軸支されている。第２の扉部２２２は、第二収納部２１５を開閉自在に閉塞する。
【００７６】
第３の扉部２２３は、正面視左側に配置されている。第３の扉部２２３は、取付軸部２２６を有している。取付軸部２２６は、閉じた状態の第３の扉部２２３において左側の端部に取り付けられている。第３の扉部２２３は、第三収納部２１６を開閉自在に閉塞する。第３の扉部２２３は、第１の扉部２２１と対称の構造になっている。
【００７７】
なお、第１の扉部２２１及び第２の扉部２２２の構造は、実施形態１と同様であるため、詳細な説明は省略する。
【００７８】
鏡体２３は、センターミラー２４と、サイドミラー２５とを備えている。サイドミラー２５は、センターミラー２４の側方に配置されている。サイドミラー２５は、左側ミラー２５１と、右側ミラー２５２とを有している。センターミラー２４は、第２の扉部２２２の前面に固定される。右側ミラー２５２は、第１の扉部２２１の前面に固定される。左側ミラー２５１は、第３の扉部２２３の前面に固定される。
【００７９】
第１の扉部２２１と第２の扉部２２２との間には、図１２に示されるように、照明具配置スペース７が形成される。また第２の扉部２２２と第３の扉部２２３との間にも照明具配置スペース７が形成される。照明具配置スペース７は、棒状照明具３が鉛直状態の姿勢で、当該棒状照明具３の後方に位置する。照明具配置スペース７により、棒状照明具３が鉛直状態の姿勢でも、各扉部２２１，２２２，２２３が、棒状照明具３に干渉することなく開閉自在とされる。
【００８０】
スライド機構６は、サイドミラー２５を左右方向にスライド移動自在とさせる。言い換えると、スライド機構６は、サイドミラー２５をセンターミラー２４側に向かって移動自在とさせる。スライド機構６は、ガイドレール６１と、移動体６２とを備えている。スライド機構６は、右側ミラー２５２と、左側ミラー２５１とにそれぞれ設けられている。
【００８１】
ガイドレール６１は、左右方向に長さを有している。ガイドレール６１は複数設けられている。ガイドレール６１は、上下方向に離間して配置されている。ガイドレール６１は、サイドミラー２５の上下両端部に配置されている。ガイドレール６１は移動体６２をスライド移動自在に支持する。ガイドレール６１は、少なくとも、照明具配置スペース７の左右方向の幅よりも長く形成されている。
【００８２】
移動体６２は、ガイドレール６１上を移動する。移動体６２は、各ガイドレール６１に１つ設けられている。移動体６２は、被ガイド部６２１と、軸支部６２２とを備えている。被ガイド部６２１は、ガイドレール６１にガイドされて直線移動する。軸支部６２２は、扉体２２の取付軸部２２６を回動自在に軸支する。
【００８３】
第１の扉部２２１は、ガイドレール６１の右側の端部に位置しているときに開閉自在となる。第１の扉部２２１がガイドレール６１上をスライドしているときには、当該第１の扉部２２１は開閉しないよう規制することが好ましい。また、同様に、第３の扉部２２３は、ガイドレール６１の左側の端部に位置しているときに開閉自在となる。第３の扉部２２３がガイドレール６１上をスライドしているときには、当該第３の扉部２２３は開閉しないよう規制することが好ましい。
【００８４】
棒状照明具３は、センターミラー２４の左右両側に一対設けられている。棒状照明具３は、ミラーキャビネット２の上下方向の略全長に亙る長さになっている。棒状照明具３は、図１４に示されるように、サイドミラー２５の前面よりも前方に配置されている。言い換えると、サイドミラー２５は、棒状照明具３の後方を左右方向にスライドするようになっている。
【００８５】
回動連結部４は、棒状照明具３に対応するよう設けられている。回動連結部４は、センターミラー２４の左右両側に固定されている。回動連結部４は、第１の連結部４１と、第２の連結部４２とを備えている。第１の連結部４１は、キャビネット２１の上端部に設けられている。第２の連結部４２は、キャビネット２１の下端部に設けられている。言い換えると、回動連結部４は、センターミラー２４の対角上に配置されている。回動連結部４は、左右方向、及び中心軸廻りに、棒状照明具３を回動自在とさせる。本実施形態の回動連結部４は、上下方向にスライドしない。
【００８６】
なお、回動連結部４は、実施形態１と同様に、前後方向に回動してもよいし、また、上下方向に移動してもよい。
【００８７】
以上説明したように、本実施形態の照明付き鏡装置の鏡体２３は、センターミラー２４と、サイドミラー２５とを備えている。サイドミラー２５は、センターミラー２４の側方に配置されている。サイドミラー２５は、センターミラー２４側に向かってスライド移動自在となっている。
【００８８】
このため、本実施形態の照明付き鏡装置は、センターミラー２４とサイドミラー２５との間に、隙間があったとしても、必要に応じて、その隙間をサイドミラー２５で覆うことができる。このように、必要に応じて、センターミラー２４とサイドミラー２５とを連続させることができるため、ユーザーは、隙間を邪魔に感じることなく、ミラーキャビネット２を使用することができる。
【００８９】
特に、棒状照明具３が、蛍光灯等により構成された場合には、センターミラー２４とサイドミラー２５との間の隙間の幅が大きくなってしまいやすい。この場合、本実施形態の照明付き鏡装置によれば、必要に応じて、一枚の大型の鏡面のようにすることができて、ユーザーは使い勝手がよいものとなる。
【００９０】
なお、実施形態１〜４の棒状照明具は、回動連結部４により、中心線廻りにも回動自在となっていたが、本発明において棒状照明具は、必ずしもこの中心線廻りの回動は必要ではない。
【符号の説明】
【００９１】
１      洗面化粧台
２      ミラーキャビネット
２１    キャビネット
２２    扉体
２３    鏡体
２４    センターミラー
２５    サイドミラー
２５１  左側ミラー
２５２  右側ミラー
２６    鏡面
２７    鏡体設置部
３      棒状照明具
４      回動連結部
５      レール部
８      洗面ボウル
８１    水栓
９      下部キャビネット
９１    引出部
【図１】
2013255689.tif 000003
【図２】
2013255689.tif 000004
【図３】
2013255689.tif 000005
【図４】
2013255689.tif 000006
【図５】
2013255689.tif 000007
【図６】
2013255689.tif 000008
【図７】
2013255689.tif 000009
【図８】
2013255689.tif 000010
【図９】
2013255689.tif 000011
【図１０】
2013255689.tif 000012
【図１１】
2013255689.tif 000013
【図１２】
2013255689.tif 000014
【図１３】
2013255689.tif 000015
【図１４】
2013255689.tif 000016